(57)【要約】【課題】自動販売機が販売する商品を外的環境（季節、時刻等）や購入者個々の状態（性別、年齢層、体温等）に合った商品にリアルタイムで変更する。【解決手段】自動販売機１００は、カメラ２と、サーモグラフィ３と、温度センサー４と、時計５とを備える。処理装置６は、カメラ２で撮影した顔画像を基に購入者１の性別と年齢層を求め、サーモグラフィ３で測定した購入者の顔温度と温度センサー４で測定した周囲の環境温度とを基に体温を求める。また、処理装置６は、時計５から取得した時刻を基に季節と時間帯を求める。処理装置６は、購入者１の性別と年齢層と体温、および季節と時間帯に基づいて表示装置７に画像を表示する商品を割り出し、外的環境と購入者個々の状態に応じてアピールしたい商品を優先的に表示する。【選択図】図１
2011203952.tif 000002
【特許請求の範囲】
【請求項１】
販売する複数の商品の商品画像を表示装置に表示する商品表示手段と、
購入者に関する購入者情報を取得する購入者情報取得手段と、
外的環境に関する環境情報を取得する環境情報取得手段と、
前記購入者情報取得手段によって取得された購入者情報と、前記環境情報取得手段によって取得された環境情報とに基づいて、前記表示装置に商品画像が表示される商品を変更する制御手段と、
を備えることを特徴とする自動販売機。
【請求項２】
前記制御手段は、前記購入者情報取得手段によって取得された購入者情報と、前記環境情報取得手段によって取得された環境情報とに基づいて、各商品画像が前記表示装置に表示される位置を調整することを特徴とする請求項１に記載の自動販売機。
【請求項３】
前記購入者情報は、購入者の身長を示す身長情報を含み、
前記制御手段は、前記身長情報に基づいて、前記表示装置に表示される各商品画像の高さを調整する、
ことを特徴とする請求項２に記載の自動販売機。
【請求項４】
前記商品表示手段は、異なる高さに配置された少なくとも２個の表示装置を有し、
前記制御手段は、前記身長情報に基づいて、前記各表示装置に商品画像が表示される商品を変更する、
ことを特徴とする請求項３に記載の自動販売機。
【請求項５】
各商品の在庫を示す在庫情報を取得する在庫情報取得手段を備え、
前記制御手段は、前記在庫情報取得手段によって取得された各商品の在庫情報に基づいて、前記各表示装置に商品画像が表示される商品の変更、および／または、各商品画像が前記表示装置に表示される位置の調整を行う、
ことを特徴とする請求項２乃至４のいずれか１項に記載の自動販売機。
【請求項６】
前記購入者情報取得手段は、購入者の顔温度を測定する顔温度測定手段と、周囲の環境温度を測定する温度測定手段とを有し、
前記制御手段は、前記顔温度測定手段によって測定された購入者の顔温度と、前記温度測定手段によって測定された環境温度とに基づいて購入者の体温を求め、当該体温に応じて前記表示装置に商品画像が表示される商品の変更、および／または、各商品画像が前記表示装置に表示される位置の調整を行う、
ことを特徴とする請求項２乃至５のいずれか１項に記載の自動販売機。
【発明の詳細な説明】
【技術分野】
【０００１】
本発明は、商品を販売する自動販売機に関する。
【背景技術】
【０００２】
自動販売機は、商品の見本を表示し、購入者によって選択された商品を販売する。従来は、お勧め商品、新製品やホット／アイスなどの商品をアピールしたい場合、それらのステッカーを自動販売機に貼り付けていた。しかし、この方法は画一的なアピールを行うだけである。
しかし、消費者のニーズは、性別や年齢、体温の高低のような購入者個々の状況、および暑い日寒い日の気温のような外的要因の影響を受ける。このため、商品提案を行い、商品を購入してもらうためには、購入者個々の状況や外的要因を考慮することが望ましい。
【０００３】
そこで、人体検知センサー、温度センサーや湿度センサー等を備え、自動販売機の前を通る通行人の数や、温度、湿度等により画像表示装置に表示するデータ（コマーシャル等）を変更する自動販売機が知られている（例えば、特許文献１参照）。特許文献１に開示されている技術を用いれば、購入者個々の状況や外的要因を考慮して周囲の状況や気温等に合った商品を購入者に薦めることができる。
【先行技術文献】
【特許文献】
【０００４】
【特許文献１】特開２００１−１７５９３９号公報
【発明の開示】
【発明が解決しようとする課題】
【０００５】
しかし、特許文献１に開示されている技術を用いても周囲の状況や気温等に合わせて販売する商品を変更することができる訳ではない。
たとえば、若年層が集まる場所の自動販売機では若者向けの商品を置くことや、夏にはアイス、冬にはホットの商品を置くことが望ましいが、周囲の状況や気温等をリアルタイムで判断して商品を入れ替えるためには人的資源を活用せざるを得ず、手間がかかる。
【０００６】
本発明は、上記実情を鑑みてなされたものであり、販売する商品を外的環境（季節、時刻等）や購入者個々の状態（性別、年齢層、体温等）に合った商品にリアルタイムで変更することができる自動販売機を提供することを目的とする。
【課題を解決するための手段】
【０００７】
上記目的を達成するために、本発明の自動販売機は、
販売する複数の商品の商品画像を表示装置に表示する商品表示手段と、
購入者に関する購入者情報を取得する購入者情報取得手段と、
外的環境に関する環境情報を取得する環境情報取得手段と、
前記購入者情報取得手段によって取得された購入者情報と、前記環境情報取得手段によって取得された環境情報とに基づいて、前記表示装置に商品画像が表示される商品を変更する制御手段と、
を備えることを特徴とする。
【０００８】
好ましくは、前記制御手段は、前記購入者情報取得手段によって取得された購入者情報と、前記環境情報取得手段によって取得された環境情報とに基づいて、各商品画像が前記表示装置に表示される位置を調整することを特徴とする。
【０００９】
好ましくは、前記購入者情報は、購入者の身長を示す身長情報を含み、
前記制御手段は、前記身長情報に基づいて、前記表示装置に表示される各商品画像の高さを調整する、
ことを特徴とする。
【００１０】
好ましくは、前記商品表示手段は、異なる高さに配置された少なくとも２個の表示装置を有し、
前記制御手段は、前記身長情報に基づいて、前記各表示装置に商品画像が表示される商品を変更する、
ことを特徴とする。
【００１１】
好ましくは、本発明の自動販売機は、
各商品の在庫を示す在庫情報を取得する在庫情報取得手段を備え、
前記制御手段は、前記在庫情報取得手段によって取得された各商品の在庫情報に基づいて、前記各表示装置に商品画像が表示される商品の変更、および／または、各商品画像が前記表示装置に表示される位置の調整を行う、
ことを特徴とする。
【００１２】
好ましくは、前記購入者情報取得手段は、購入者の顔温度を測定する顔温度測定手段と、周囲の環境温度を測定する温度測定手段とを有し、
前記制御手段は、前記顔温度測定手段によって測定された購入者の顔温度と、前記温度測定手段によって測定された環境温度とに基づいて購入者の体温を求め、当該体温に応じて前記表示装置に商品画像が表示される商品の変更、および／または、各商品画像が前記表示装置に表示される位置の調整を行う、
ことを特徴とする。
【発明の効果】
【００１３】
本発明によれば、自動販売機が販売する商品を外的環境（季節、時刻等）や購入者個々の状態（性別、年齢層、体温等）に合った商品にリアルタイムで変更することができる。
【図面の簡単な説明】
【００１４】
【図１】本発明の第１の実施形態に係る自動販売機の一例を示す図である。
【図２】購入者に商品を提案する商品提案処理のフローチャートの一例を示す図である。
【図３】環境温度、体温、および顔温度の関係の一例を示すグラフである。
【図４】環境温度（気温）ごとの顔温度と体温との温度差を表すテーブルを示す図である。
【図５】商品表示順番テーブルのインデックスを求めるためのインデックス一覧テーブルを示す図である。
【図６】インデックス別に商品を表示する順番を表す商品表示順番テーブルの図である。
【図７】本発明の第２の実施形態に係る自動販売機の一例を示す図である。
【図８】本発明の第２の実施形態に係る自動販売機における商品の表示位置を調整する位置調整処理のフローチャートの一例を示す図である。
【発明を実施するための形態】
【００１５】
以下、本発明の実施形態に係る自動販売機について図面を参照しながら説明する。
【００１６】
図１は、本発明の第１の実施形態に係る自動販売機１００の一例を示す。
自動販売機１００は、カメラ２と、サーモグラフィ３と、温度センサー４と、時計５と、処理装置６と、表示装置７と、スピーカ８とを備えている。また、自動販売機１００は、コイン返却スイッチ９と、コイン投入口１０と、商品取り出し口１１を有する。
処理装置６は、ＣＰＵ（Ｃｅｎｔｒａｌ  Ｐｒｏｃｅｓｓｉｎｇ  Ｕｎｉｔ）と、メモリとを有する。
メモリは、ＲＡＭ（Ｒａｎｄｏｍ  Ａｃｃｅｓｓ  Ｍｅｍｏｒｙ）のような揮発性メモリとフラッシュメモリのような書換え可能な不揮発性メモリを含んでいる。
商品提案プログラムと、環境温度（気温）ごとの顔温度と体温との温度差を表すテーブル（図４）と、商品表示順番テーブルのインデックスを求めるためのインデックス一覧テーブル（図５）と、商品表示順番テーブル（図６）と、商品ごとの在庫を示す商品在庫情報（図示なし）とが、例えばフラッシュメモリに記憶されている。
ＣＰＵは、商品提案プログラムと図４〜図６の各テーブルと商品在庫情報をフラッシュメモリからＲＡＭにコピーして商品提案プログラムを実行し、後述するように、図４〜図６の各テーブルと商品在庫情報を参照して購入者１に商品を提案する商品提案処理を行う。
【００１７】
カメラ２は、購入者１が自動販売機１００で商品を購入する際に、購入者１の顔画像と全身画像を撮影する。処理装置６は、撮影された購入者１の顔画像を基に購入者１の性別と年齢層を推定する。また、処理装置６は、撮影された全身画像を基に購入者１の身長を求める。
サーモグラフィ３は、購入者１の顔の温度（以下、顔温度という。）を測定し、温度センサー４は、自動販売機１００の設置場所の周囲の環境の温度（以下、環境温度という。）を測定する。処理装置６は、後述するように、測定された購入者１の顔温度と設置場所の環境温度より購入者１の体温を求める。
処理装置６は、時計５から日付と時間を取得し、取得した日付より季節を、時間から時間帯を求める。
処理装置６は、購入者１の性別、年齢層、体温、季節、時間帯を基に提案する商品を判定する。
【００１８】
表示装置７はディスプレイを含む。処理装置６は、この判定結果に従い、自動販売機１００の表示装置７に提案する商品の画像（以下、商品画像という。）を映し出す。同時に、処理装置６は、映し出した商品のアピール文言やＢＧＭをスピーカ８より流す。
処理装置６は、表示装置７に商品画像を映し出す際、アピールする商品の商品画像が購入者１の目につきやすい高さに表示されるように購入者１の身長にあわせて商品画像が表示される高さを変更する。また処理装置６は、アピールしたい商品の商品画像ほど購入者１の目につきやすい表示装置７の中心部に表示されるように、表示装置７における商品画像の表示位置を性別、年齢層、体温、季節、時間帯を考慮した表示位置に変更する。
このように、処理装置６は、表示装置７における商品画像の表示位置とスピーカ８から流れる言葉やＢＧＭにより商品のアピールを行い、購入者１の商品購入意欲を高める。
【００１９】
図２は、カメラ２、サーモグラフィ３、温度センサー４、時計５からの情報を基に商品を提案する商品提案処理のフローチャートの一例を示す。
処理装置６は、購入者１が商品を購入する際に、カメラ２により顔画像と全身画像を撮影する（Ｓ１０１）。そして、処理装置６は、顔画像を基に購入者１の性別と年齢層を推定し（Ｓ１０２）、全身画像を基に頭頂位置を計測して、購入者１の身長を求める（Ｓ１０３）。なお、顔画像を基に購入者１の性別と年齢層を推定する画像処理アルゴリズムは公知のものを用いることとし、本明細書では説明を省略する。
【００２０】
また、処理装置６は、サーモグラフィ３を使って購入者１の顔温度を測定し（Ｓ１０４）、温度センサー４を使って自動販売機１００の設置場所の環境温度を測定する（Ｓ１０５）。そして、処理装置６は、顔温度と環境温度を入力情報として体温を算出する（Ｓ１０６）。
【００２１】
図３は、環境温度、体温、および顔温度の関係の一例を示すグラフである。
体温は気温（環境温度）の高い／低いに影響を受けず一定（３５．０℃〜３６．５℃）であるが、これは体表からの熱放出により体温調節を行っているためである。人間は、環境温度が高い場合には外気により暖められた体温を冷ますために体表面からの熱放出を多く行い、逆に、環境温度が低い場合には体表面からの熱放出を少なくして体温調節を行っている。よって、図３に示すように、環境温度が低い場合は体表面温度の一種である顔温度は低くなり、環境温度が高い場合には顔温度は高くなる。即ち、環境温度が低い場合は体温と顔温度の温度差は多く、環境温度が高い場合には体温と顔温度の温度差は少なくなる。このため、顔温度から体温を算出する際には、気温による顔温度と体温の差を考慮する必要がある。
【００２２】
図４は、環境温度（気温）ごとの顔温度と体温との温度差を表すテーブルを示す。
予め作成した図４のテーブルが存在すると仮定すると、環境温度（気温）がＸ℃のときの体温と顔温度の温度差Ｚ℃を図４のテーブルより求めることができる。測定した顔温度がＹ℃の場合、体温α℃はα＝Ｙ＋Ｚで算出できる。
なお、図４のテーブルは実際の測定データを元に作成する。購入者１の顔温度から体温を算出するためには、図４のテーブルを実際の測定データを集めて予め作成しておく必要がある。
【００２３】
次に、処理装置６は、図２に示すように、時計５より時刻と日付を取得し（Ｓ１０７）、日付より春夏秋冬の季節を判別する（Ｓ１０８）。
【００２４】
処理装置６は、上述したステップで求めた購入者１の性別、年齢層、体温、季節、時刻を入力情報として、図５のインデックス一覧テーブルと図６の商品表示順番テーブルを検索し、商品（商品画像）を表示する順番を割り出す（Ｓ１０９、Ｓ１１０）。ここで、図５は購入者１の性別・年齢層・体温・季節・時刻と一致する商品表示順番テーブルのインデックスを求めるためのインデックス一覧テーブルを示す。図６はインデックス別に商品（商品画像）を表示する順番を表す商品表示順番テーブルを示す。図６の商品表示順番テーブルは、購入者に提示するための商品を表示順位に従って一覧化している。
処理装置６は、まず、購入者１の性別、年齢層、体温、季節、時刻を入力情報として、図５のインデックス一覧テーブルを検索し、商品表示順番のインデックス（温１、温２、冷１、冷２等）を割り出す（Ｓ１０９）。そして、処理装置６は、求められたインデックスにより図６の商品表示順番テーブルを検索し、商品（商品画像）を表示する順番を割り出す（Ｓ１１０）。
【００２５】
例えば、上記ステップＳ１０１〜Ｓ１０８により、購入者１は男性、年齢層３５〜４９歳、体温３６．７℃、季節は春、時刻２２時と求められたとする。このとき、処理装置６は、男性、年齢層３５〜４９歳よりインデックス一覧テーブル（図５）の行を求め、春、時刻２２時、体温３６．７℃よりインデックス一覧テーブルの列を求め、インデックス一覧テーブルを検索して商品表示順番のインデックスとして温３を割り出す（Ｓ１０９）。そして、処理装置６は、温３を入力として商品表示順番テーブル（図６）を検索し、商品（商品画像）の表示順として、紅茶、カフェオレ、ココア、…、コーヒーを割り出す（Ｓ１１０）。
【００２６】
次に、処理装置６は、図２に示すように、商品在庫情報より自動販売機内の商品の在庫状況を判断し、在庫状況に合わせて表示順番を入れ替える（Ｓ１１１）。
処理装置６は、表示対象の商品が自動販売機内に在庫されている場合は、その商品をそのまま表示対象とする。一方、自動販売機内に在庫が無い商品については、その商品の商品画像を表示しないように次の表示対象商品の表示順番を繰り上げる。また、処理装置６は、商品の在庫が少なければ在庫のある別の商品の商品画像を表示装置の中央などの目立つ位置に表示する様に表示位置の入替えを行い、在庫調整を行う。
【００２７】
表示順番決定後に、処理装置６は、ステップＳ１０３で求めた購入者１の身長（目線）に合わせて商品画像の表示位置を調整する（Ｓ１１２）。
処理装置６は、購入者の身長に合わせて商品画像の表示装置７内の表示位置調整を行った後に、提案する商品の商品画像を表示順番に従って表示装置７に表示し、その説明をスピーカ８で流す（Ｓ１１３）。商品画像を表示する際、処理装置６は、表示順番が1番目の商品の商品画像を中央に、その右側に２番目の商品の商品画像、中央から左側に３番目の商品の商品画像様に、表示順番の早い（表示順番の数字の小さい）商品の商品画像ほど中央に表示して、購入者の目のつきやすい場所に表示する。
【００２８】
図７は、本発明の第２の実施形態に係る自動販売機１０１の一例を示す。
自動販売機１０１は、カメラ２と、サーモグラフィ３と、温度センサー４と、時計５（図示なし）と、処理装置６（図示なし）と、表示装置７と、スピーカ８と、表示装置１２とを備えている。また、自動販売機１０１は、コイン返却スイッチ９と、コイン投入口１０と、商品取り出し口１１を有する。
自動販売機１０１は、表示装置７の下側に配置された第２の表示装置１２を備えている点が図１の自動販売機１００と異なる。
なお、図１の自動販売機１００と図７の自動販売機１０１における同一の構成要素には同一の符号を付し、説明を省略する。
自動販売機１０１の処理装置６は、購入者１の身長が所定の基準身長より高い場合、表示順番の早い商品の商品画像から順番に上側の表示装置７に表示し、表示装置７への商品の表示が終了すると、下側の第２の表示装置１２に商品画像を表示する。一方、購入者１の身長が基準身長より低い場合、自動販売機１０１の処理装置６は、表示順番の早い商品の商品画像から順番に下側の第２表示装置１２に表示し、第２の表示装置１２への商品の表示が終了すると、上側の表示装置７に商品を表示する。
【００２９】
図８は、本発明の第２の実施形態に係る自動販売機１０１における商品の表示位置を調整する位置調整処理のフローチャートの一例を示す。
図８の位置調整処理は、商品提案処理（図２）においてステップＳ１１２の代わりに実行される。
【００３０】
処理装置６は、図２のステップＳ１０３で求めた購入者１の身長と所定の基準身長を比較する（Ｓ２０１）。処理装置６は、購入者１の身長が基準身長より高い場合（Ｓ２０１：Ｙｅｓ）、ステップＳ１１０またはＳ１１１で求めた表示順番の早い商品の商品画像から順番に上側の表示装置７の中央から表示する（Ｓ２０２）。表示の際に表示順番の1番目の商品の商品画像を中央に、その右側に２番目の商品の商品画像、中央から左側に３番目の商品の商品画像の様に、表示順番に従って商品画像を表示する。このため、表示順番の早い商品の商品画像ほど中央に表示され、購入者の目のつきやすい場所に表示される。
処理装置６は、上側の表示装置７の表示場所が無くなれば（Ｓ２０３：Ｙｅｓ）、下側の第２の表示装置１２に商品画像を表示する（Ｓ２０４）。第２の表示装置１２に表示する際には、表示装置７における表示と同様に表示装置７に商品画像が表示されていない商品の中で表示順番の早い商品ほど中央に表示する。
【００３１】
なお、基準身長は予め処理装置６のメモリの所定の記憶領域に登録しておく。例えば、基準身長を１３０ｃｍとして登録した場合、身長１３０ｃｍ以上の購入者１には、上側の表示装置７から商品画像を表示する。
【００３２】
一方、購入者１の身長が基準身長以下である場合（Ｓ２０１：Ｎｏ）、表示順番の早い商品の商品画像から順番に下側の第２の表示装置１２の中央から表示し（Ｓ２０５）、下側の第２の表示装置１２の表示場所が無くなれば（Ｓ２０６：Ｙｅｓ）、上側の表示装置７に商品画像を表示する（Ｓ２０７）。
【００３３】
なお、上記各実施形態では、表示装置が１個と２個の場合について説明したが、本発明に係る自動販売機は表示装置を３個以上有していてもよい。本発明によれば、表示装置を３個以上有する場合であっても購入者１の身長（目線）に応じて目につきやすい表示装置から順番に商品画像を表示することができる。
【００３４】
また、上記各実施形態では、処理装置６は、購入者１の性別、年齢層、体温、季節、時刻を入力情報として、インデックス一覧テーブルを検索したが、購入者１の体型（やせ型、肥満型等）等他の入力情報によりインデックス一覧テーブルを検索することとしてもよい。
【００３５】
また、上記各実施形態では、処理装置６は、カメラ２により撮影した顔画像を基に購入者１の性別と年齢層を求めたが、例えば自動販売機１００、１０１がＩＣカードリーダを備え、処理装置６はＩＣカード等に記録された性別と年齢を取得することとしてもよい。
【００３６】
以上説明したように、本発明によれば、自動販売機が外的環境（季節、時刻等）や購入者個々の状態（性別、年齢層、体温等）に合った商品の商品画像をリアルタイムで表示し、商品を販売することができる。
また、本発明によれば、商品表示順番テーブルによりアピールしたい商品の商品画像の表示順番を早くすることにより、購入者の目につきやすい場所にアピールしたい商品の商品画像を表示することができる。
本発明により、自動販売機が購入者や環境に応じた商品提案を行える様になり、商品提案による商品のアピールと商品の認知度の向上が図れるとの効果が期待できる。また、購入者とアピールしたい商品のターゲットとが一致した場合には、より効果的な商品提案を行える様になる。この購入者個々に応じた商品提案により、購入者の購買意欲を向上させ、商品のターゲットとする購入者を今後も商品を購入してくれる固定客とする効果も期待できる。
【００３７】
また、本発明によれば、購入者の目線に商品画像を表示するように、購入者の身長に合わせて表示位置を調整することができる。このため、アピールする商品の商品画像を購入者の目につきやすいところに表示することができ、効果的に商品をアピールすることができる。
特に、自動販売機が異なる高さに配置された複数の表示装置を有する場合には、購入者の身長に合わせてアピールする商品の商品画像を購入者の目につきやすい表示装置に表示することができる。
【００３８】
また、本発明によれば、自動販売機内に在庫の無い商品の商品画像を表示しないようにすることができる。また、在庫状況により在庫の多い商品や購入者にアピールしたい商品の商品画像を、購入者の目つきやすい場所に優先的に表示することができる。
【００３９】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれると理解されるべきである。
【符号の説明】
【００４０】
１…購入者、２…カメラ、３…サーモグラフィ、４…温度センサー、５…時計、６…処理装置、７、１２…表示装置、８…スピーカ、１０…カメラ、９…コイン返却スイッチ、１０…コイン投入口、１１…商品取り出し口、１００、１０１…自動販売機
【図１】
2011203952.tif 000003
【図２】
2011203952.tif 000004
【図３】
2011203952.tif 000005
【図４】
2011203952.tif 000006
【図５】
2011203952.tif 000007
【図６】
2011203952.tif 000008
【図７】
2011203952.tif 000009
【図８】
2011203952.tif 000010